(57)【特許請求の範囲】
【請求項１】
縦長の長方形をなし、上部両側に肩紐装着用切り込み凹部を有し、該凹部に肩紐つき衣類商品の肩紐が装着されて該肩紐つき衣類商品が吊り下げ状態で装着可能とされる台紙本体と、
上部を前記台紙本体の上部に前記台紙本体の表面側へ折り返し可能に連設され、前記台紙本体の横幅よりも細幅とされた縦帯片と、
前記縦帯片の下部両側に一連に延設され、それらの延設端部を前記台紙本体の裏面側で相互に係止可能とされた左右一対の横帯片とを備えており、
前記縦帯片は、前記台紙本体に装着された肩紐つき衣類商品を上から前記台紙本体に向けて押さえ込み、前記横帯片は、前記衣類商品を前記台紙本体の下部で前記台紙本体に抱持させるように構成されていることを特徴とする肩紐つき衣類商品パッケージ。
【請求項２】
前記縦帯片には、補助片が隣接して設けられ、この補助片は、前記縦帯片と前記台紙本体との横幅の差に相当する横幅を持ち、かつ、前記台紙本体の上部から前記横帯片に至るまでの縦方向長さを有しており、しかも、この補助片は、縦方向切り目及び横方向切り目によって前記縦帯片及び横帯片から分離され、さらに、この補助片は、前記台紙本体の上部に前記縦帯片から独立して表面側へ折り返し可能に連設されると共に、前記台紙本体に重ね合わせて衣類内に挿入されることを特徴とする請求項１記載の肩紐つき衣類商品パッケージ。
【請求項３】
縦長の長方形をなし、上部両側に肩紐装着用切り込み凹部を有し、該凹部に肩紐つき衣類商品の肩紐が装着されて該肩紐つき衣類商品が吊り下げ状態で装着可能とされる台紙本体と、
台紙本体の上部に横方向折り目を介して台紙本体の表面側へ折り返し可能に連設された上延長片と、
前記上延長片の横方向一側に縦方向折り目を介して前記台紙本体の表面側へ折り返し可能に連設された横延長片と、
前記横延長片の下部に横方向折り目を介して縦方向に折り返し可能に連設され、前記台紙本体の横幅よりも細幅とされた縦帯片と、
前記縦帯片の下部両側に一連に延設され、それらの延設端部を前記台紙本体の裏面側で相互に係止可能とされた左右一対の横帯片とを備えており、
前記縦帯片は、前記上延長片及び横延長片を介して前記台紙本体の上部に台紙本体の表面側へ折り返し可能とされて前記台紙本体に装着された肩紐つき衣類商品を上から前記台紙本体に向けて押さえ込み、前記横帯片は、前記衣類商品を前記台紙本体の下部で前記台紙本体に抱持させるように構成されていることを特徴とする肩紐つき衣類商品パッケージ。
【請求項４】
前記台紙本体は、横幅が衣類商品の胴部の幅と同等乃至やや小さ目とされ、縦長さが衣類商品の上下丈の略半分程度とされていることを特徴とする請求項１〜３の何れかに記載の肩紐つき衣類商品パッケージ。
【請求項５】
前記縦帯片及び／又は横帯片には、視覚を通じてアピールするための情報が表面側に表示されていることを特徴とする請求項１〜４の何れかに記載の肩紐つき衣類商品パッケー
ジ。
【請求項６】
前記縦帯片は、前記台紙本体に対して横幅方向の一方に片寄った位置から斜め下に向けて傾斜させた状態で配置されているか、又は、前記台紙本体の横幅方向の任意の位置から真っ直ぐ下に垂下させた状態で配置されていることを特徴とする請求項１〜５の何れかに記載の肩紐つき衣類商品パッケージ。
【請求項７】
前記横帯片は、衣類商品を裾部展開状態及び裾部折り返し状態のいずれの状態においても前記縦帯片とともに前記台紙本体の表面側から裏面側に亘って衣類商品を包囲して保持するように構成されていることを特徴とする請求項１〜６の何れかに記載の肩紐つき衣類商品パッケージ。
【請求項８】
前記台紙本体の上部中央には、吊り下げ用フックの装着孔が形成されているか、又は、吊り下げ用フックが切り起こし可能に形成されていることを特徴とする請求項１〜７の何れかに記載の肩紐つき衣類商品パッケージ。
【発明の詳細な説明】
【技術分野】
【０００１】
本発明は、キャミソール、タンクトップ等、肩紐つき衣類、或いは、肩部の幅の狭い衣類の吊り下げ、展示用の肩紐つき衣類商品パッケージに関するものである。
【背景技術】
【０００２】
従来、キャミソール、タンクトップ等の肩紐つき衣類は、ハンガーに吊り下げて展示販売されたり、台紙を使用して折り畳み状態とし、これを透明な袋に収納してテーブル等に立て掛けたり、袋上部に設けた係止用フックによって陳列バーに吊り下げて展示販売されている（例えば、特許文献１参照）。
【特許文献１】特許第３９３５６８３号公報
【発明の開示】
【発明が解決しようとする課題】
【０００３】
ハンガーに吊り下げて展示する方式は、顧客が商品を手に取り、全体のデザイン、生地の手触りや縫製の仕上がり具合の善し悪し等を容易に判断することができる利点がある反面、流通・輸送時には、折り畳み状態で取り扱われているため、販売店において、ハンガーに掛けて展示する作業が必要となり、また、顧客が購入した際、ハンガーから外して折り畳み包装して手渡す必要があり、手間が掛かるという問題点があった。
【０００４】
前記特許文献１のものは、商品を台紙に固定的に保持させて流通・輸送し、そのまま展示でき、顧客が購入した際にも袋詰めや包装等が容易化されているが、台紙に保持させたままで衣類の裾部を展開して展示することはできず、商品全体のデザイン等を容易に把握できないとともに衣類商品のパッケージとして見た場合、当該商品の顧客に対するアピール性、例えば、ファッション性、スタイリッシュなデザイン、着心地の良さ、品質・品位の向上、商品のイメージアップ等、当該商品の購入意欲の喚起や購入の動機付けの促進を、視覚を通じて顧客に強く訴えるといった広告宣伝的機能が乏しいという問題点があった。
【０００５】
本発明は、従来技術の上記問題点に鑑みて開発されたもので、その目的とするところは、衣類商品を裾部展開状態にて吊り下げ展示でき、裾部を折り返し、袋入れして展示販売することもでき、いずれの状態においても展示中の衣類商品のずれを防止し、しかも、視覚を通じて顧客へのアピール性を改善させ得る肩紐つき衣類商品パッケージを提供することにある。
【課題を解決するための手段】
【０００６】
前記目的を達成するために本発明は、縦長の長方形をなし、上部両側に肩紐装着用切り込み凹部を有し、該凹部に肩紐つき衣類商品の肩紐が装着されて該肩紐つき衣類商品が吊り下げ状態で装着可能とされる台紙本体と、
上部を前記台紙本体の上部に前記台紙本体の表面側へ折り返し可能に連設され、前記台紙本体の横幅よりも細幅とされた縦帯片と、
前記縦帯片の下部両側に一連に延設され、それらの延設端部を前記台紙本体の裏面側で相互に係止可能とされた左右一対の横帯片とを備えており、
前記縦帯片は、前記台紙本体に装着された肩紐つき衣類商品を上から前記台紙本体に向けて押さえ込み、前記横帯片は、前記衣類商品を前記台紙本体の下部で前記台紙本体に抱持させるように構成されていることを特徴としている。
【０００７】
この構成によれば、台紙本体に対して、縦帯片及び横帯片を上部に連設した形態で原紙から裁断構成することができ、しかも、衣類商品を裾部展開状態及び裾部折り返し状態のいずれにおいても台紙本体にずれないように装着保持させて展示することができる。
この場合において、前記縦帯片には、補助片が隣接して設けられ、この補助片は、前記縦帯片と前記台紙本体との横幅の差に相当する横幅を持ち、かつ、前記台紙本体の上部から前記横帯片に至るまでの縦方向長さを有しており、しかも、この補助片は、縦方向切り目及び横方向切り目によって前記縦帯片及び横帯片から分離され、さらに、この補助片は、前記台紙本体の上部に前記縦帯片から独立して表面側へ折り返し可能に連設されると共に、前記台紙本体に重ね合わせて衣類内に挿入される。この構成によれば、補助片を台紙本体の補強材に利用することができ、しかも、台紙本体と縦帯片及び横帯片を原紙となるシート材から一連に裁断する際のブランク部分を少なくすることができ、資材の有効利用が図れる。
【０００８】
また、本発明は、縦長の長方形をなし、上部両側に肩紐装着用切り込み凹部を有し、該凹部に肩紐つき衣類商品の肩紐が装着されて該肩紐つき衣類商品が吊り下げ状態で装着可能とされる台紙本体と、
台紙本体の上部に横方向折り目を介して台紙本体の表面側へ折り返し可能に連設された上延長片と、
前記上延長片の横方向一側に縦方向折り目を介して前記台紙本体の表面側へ折り返し可能に連設された横延長片と、
前記横延長片の下部に横方向折り目を介して縦方向に折り返し可能に連設され、前記台紙本体の横幅よりも細幅とされた縦帯片と、
前記縦帯片の下部両側に一連に延設され、それらの延設端部を前記台紙本体の裏面側で相互に係止可能とされた左右一対の横帯片とを備えており、
前記縦帯片は、前記上延長片及び横延長片を介して前記台紙本体の上部に台紙本体の表面側へ折り返し可能とされて前記台紙本体に装着された肩紐つき衣類商品を上から前記台紙本体に向けて押さえ込み、前記横帯片は、前記衣類商品を前記台紙本体の下部で前記台紙本体に抱持させるように構成されていることを特徴としている。
【０００９】
この構成によれば、台紙本体に対して、縦帯片及び横帯片を横方向一側に連設した形態で原紙から裁断構成することができ、しかも、衣類商品を裾部展開状態及び裾部折り返し状態のいずれにおいても台紙本体にずれないように装着保持させて展示することができる。
前記台紙本体は、横幅が衣類商品の胴部の幅と同等乃至やや小さ目とされ、縦長さが衣類商品の上下丈の略半分程度とされている。この構成によれば、衣類商品を裾部展開状態と裾部折り返し状態とに容易に変更できる。
【００１０】
前記縦帯片及び／又は横帯片には、視覚を通じてアピールするための情報が表面側に表示されている。この構成によれば、視覚を通じて顧客へのアピール性を改善させ得る肩紐つき衣類商品パッケージを提供することができる。
前記縦帯片は、前記台紙本体に対して横幅方向の一方に片寄った位置から斜め下に向けて傾斜させた状態で配置されているか、又は、前記台紙本体の横幅方向の任意の位置から
真っ直ぐ下に垂下させた状態で配置されている。この構成によれば、この種衣類商品のパッケージデザインをアピール性の高いものに改善することができる。
【００１１】
前記横帯片は、衣類商品を裾部展開状態及び裾部折り返し状態のいずれの状態においても前記縦帯片とともに前記台紙本体の表面側から裏面側に亘って衣類商品を包囲して保持するように構成されている。この構成によれば、商品を裾部展開状態及び裾部折り返し状態のいずれにおいても展示中の商品のずれを防止することができる。
前記台紙本体の上部中央には、吊り下げ用フックの装着孔が形成されているか、又は、吊り下げ用フックが切り起こし可能に形成されている。この構成によれば、商品を展開状態にて吊り下げ展示でき、裾部を折り返し、袋入れして展示販売することもできる。
【発明の効果】
【００１２】
本発明によれば、商品を裾部展開状態にて吊り下げ展示でき、裾部を折り返し、袋入れして展示販売することもでき、いずれの状態においても展示中の商品のずれを防止し、しかも、視覚を通じて顧客へのアピール性を改善させ得る肩紐つき衣類商品パッケージを提供することができる。
【発明を実施するための最良の形態】
【００１３】
以下、本発明に係る肩紐つき衣類商品パッケージの実施形態を図面に基づいて説明する。
図１は、本発明に係る肩紐つき衣類商品パッケージの第１実施形態を示す正面図、図２は背面図、図３は展開図、図４及び図５は包装途中の斜視図であって、１は台紙本体、２は縦帯片、３は横帯片、４は補助片、５は衣類商品を示している。
【００１４】
衣類商品５は、胴部５ａと、胴部５ａの上部に肩紐５ｂ、或いは、細幅の肩部を有するもので、本実施形態ではキャミソールを例示している。
台紙本体１は、横幅が衣類商品５の胴部５ａの幅と同等乃至やや小さ目とされ、縦長さが衣類商品５の上下丈の略半分程度とされた縦長の長方形をなし、上部両側に肩紐装着用切り込み凹部１ａを有し、該凹部１ａに肩紐つき衣類商品５の肩紐５ｂが装着されて該肩紐つき衣類商品５が吊り下げ状態で装着可能とされている。
【００１５】
縦帯片２は、上部を台紙本体１の上部に台紙本体１の表面側へ折り返し可能に連設され、台紙本体１の横幅よりも細幅とされている。この縦帯片２は、本実施形態では、台紙本体１に対して横幅方向の一方（図１では右側）に片寄った位置から斜め下に向けて傾斜させた状態で配置した場合を例示している。縦帯片２の配置は、これに限らず、台紙本体１の横幅方向の中央部や右寄り又は左寄りなどの任意の位置から真っ直ぐ下に垂下させた状態で配置してもよい。
【００１６】
横帯片３は、縦帯片２の下部両側に左右一対として一連に延設され、それらの延設端部を台紙本体１の裏面側で相互に係止可能とされている。本実施形態においては、図２、図３に示すように、横帯片３の両端付近に帯幅の略半分程度の長さの上下方向の切り込み部３ａ、３ａを上下方向に対向状に設けて相互に差し込み係止させるようにした場合を例示しているが、これに限定されず、他の係止手段を採用してもよいもので、例えば、粘着テープで止めるようにしてもよい。
【００１７】
前記縦帯片２は、図１、図５に示すように、台紙本体１に装着された肩紐つき衣類商品５を上から台紙本体１に向けて押さえ込み、前記横帯片３は、衣類商品５を台紙本体１の下部で台紙本体１に抱持させるように構成されている。
この横帯片３は、衣類商品５を裾部展開状態（図４の鎖線参照）及び裾部折り返し状態（図２の鎖線参照）のいずれの状態においても縦帯片２とともに台紙本体１の表面側から裏面側に亘って衣類商品５を包囲して保持することが可能に構成されている。横帯片３の帯幅は、衣類商品５を台紙本体１に軽く抱持させておくことができる程度の強度があればよく、例えば、２〜３ｃｍ程度の細幅とされている。
【００１８】
補助片４は、図３に示すように、縦帯片２に隣接して台紙本体１の上部に連設されている。この補助片４は、縦帯片２と台紙本体１との横幅の差に相当する横幅を持ち、かつ、台紙本体１の上部から横帯片３に至るまでの縦方向長さを有しており、しかも、この補助片４は、図３に示すように、縦方向切り目６及び横方向切り目７によって縦帯片２及び横
帯片３から分離され、さらに、この補助片４は、台紙本体１の上部に縦帯片２から独立して表面側へ折り返し可能に連設されると共に、台紙本体１に重ね合わせて衣類商品５内に挿入される。本実施形態では、縦帯片２と補助片４の横幅は、台紙本体１の横幅のそれぞれ略半分とした場合を例示しているが、これに制約されるものではない。
【００１９】
補助片４には、台紙本体１の表面側へ折り返して重ね合わせた際、台紙本体１の凹部１ａと合致する凹部４ａが形成されており、これら両凹部１ａ、４ａで衣類商品５の肩紐５ｂを装着係止可能としている。
台紙本体１の上部で横方向中央には、図３、図４に示すように、吊り下げ用フック８の装着孔９が形成されている。なお、この装着孔９の代わりに、台紙本体１の上部に、吊り下げ用フック８を切り起こし可能に形成してもよい。
【００２０】
台紙本体１、縦帯片２、横帯片３及び補助片４は、板紙製又は樹脂製シートを原紙として、図３に示す形状に一連に裁断して形成される。そして、台紙本体１と縦帯片２及び補助片４との連結部には、予め、折り目１０、１１が形成されている。また、横帯片３にも台紙本体１の裏側へ折り返すための折り目１２、１３が形成されている。なお、左右の横帯片３の長さは、縦帯片２が台紙本体１に対して図１、図３の右側に片寄せてあるため、右側の横帯片３よりも左側の横帯片３の方が長く形成されている。
【００２１】
そして、これら縦帯片２及び／又は横帯片３には、当該商品を店頭販売する場合に顧客に対して、視覚を通じてアピールするための情報が表面側に印刷表示される。この情報は、例えば、有名人、著名人、俳優、ファッションモデルや当該商品のデザイナー等の人物に当該商品の着用状態を表した写真や当該商品のファッション性、デザイン上の特長、機能、効能、キャッチフレーズ等、視覚を通じて顧客にアピールするための各種の情報が含まれるものであって、それらの表示方法は、写真、イラスト図、デザイン図、キャッチフレーズ等の文字、模様、記号等の単独又は適宜の組み合わせで印刷表示されるものである。なお、補助片４の表面側の一部又は適宜部分、例えば、衣類商品５の開口部から露出して外部から見える部分等には、当該商品とは異色の背景色彩や縦帯片２の上記情報と連続するか、又は、関連する情報を印刷表示したり、ラベルやシール等を貼付してもよい。
【００２２】
本発明の第１実施形態は、以上の構成からなり、次に、その包装作業要領を図面に基づいて説明する。
先ず、図３の展開状態から、補助片４だけを先に台紙本体１の表面側へ折り返して図４の状態とし、この状態で衣類商品５の胴部５ａの上部開口部を台紙本体１に下側から通して肩紐５ｂを台紙本体１の上部両側の凹部１ａ及び補助片４の上部の凹部４ａに装着係止する。この状態では、衣類商品５の胴部５ａは、台紙本体１の横幅と同等乃至大きめとなっているため、大きめの場合では、台紙本体１の両側からはみ出している胴部５ａの両側部分を台紙本体１の裏側に回して衣類商品５の裏側生地に重ね合わせ、胴部５ａの上部開口部からクリップ等を挿入して重ね合わせ状態を保持させておく。なお、胴部５ａと台紙本体１の横幅が同一であれば、重ね合わせる必要はない。
【００２３】
次に、縦帯片２を、図５に示すように、台紙本体１の表面側へ折り返し、衣類商品５を台紙本体１に表面側から押さえ込む。この状態で、横帯片３を台紙本体１の裏側へ折り返して、その両端付近の切り込み部３ａ、３ａを図２に示すように、差し込み係止させる。これにより、衣類商品５は、裾部を展開した状態のままで台紙本体１に縦帯片２と横帯片３とで縦横方向に拘束抱持される。従って、この状態で吊り下げ用フック８により、陳列バー等に吊り下げ展示することができ、展示中、衣類商品５が台紙本体１からずれ動くことが防止される。このように、裾部を展開した状態で吊り下げ展示された衣類商品５は、顧客が自由に手にとって生地の手触りや全体のデザイン、縫製具合等の確認を容易に行うことができる。
【００２４】
また、顧客が当該商品を購入する場合には、陳列バー等から外して裾部を台紙本体１の裏側に折り返し、その状態で袋に詰めたり、包装紙で包んで顧客に手渡すことができ、後作業も容易である。なお、横帯片３は、衣類商品５の裾部展開状態で衣類商品５を台紙本体１の下部に抱持させるだけでなく、裾部を折り返し状態とした場合にも、折り返した上から差し込み係止し直して台紙本体１に抱持させることもできる。
【００２５】
また、店頭販売において、テーブル等の上に立て掛けて陳列販売する場合には、衣類商品５の裾部を台紙本体１の裏側に折り返して透明な袋（少なくとも表面側の全部や大部分が透明であればよい）に詰めた状態で立て掛けて展示販売すればよい。この場合においても、衣類商品５は、台紙本体１に縦帯片２と横帯片３とで縦横方向から拘束された状態で保持されているため、ずれ動くことはなく、包装形態を一定に保持させることができる。
【００２６】
そして、上記のように袋詰めして立て掛け状態で展示販売している場合にあっても、顧客が当該商品の全体のデザイン等の確認を行うために袋内から商品を取り出して裾部を展開したとしても、台紙本体１に対して縦帯片２及び横帯片３によって縦横方向から衣類商品５を拘束させているため、ずれ動きが防止される。従って、その後、袋に戻す場合も容易に戻すことができる。また、顧客が当該商品を購入する場合の後包装も容易に行うことができる。
【００２７】
上記衣類商品５は、流通運搬時には、台紙本体１に装着し、縦帯片２及び横帯片３によって縦横方向から拘束し、袋詰めした状態で行うことができるため、嵩張らず、型崩れも防止される。そして、店頭販売する際には、袋から取り出して、裾部を展開させた状態で陳列バー等に吊り下げ展示したり、袋詰めされたままで立て掛け展示して販売することができる。
【００２８】
次に、本発明に係る肩紐つき衣類商品パッケージの第２実施形態を図６〜図１１に基づいて説明する。
図６は、本発明に係る肩紐つき衣類商品パッケージの第２実施形態を示す正面図、図７はその背面図、図８はその展開図、図９〜図１１はこのパッケージの第１〜第３折り曲げ状態の概略斜視図であって、１は台紙本体、２は縦帯片、３は横帯片、５は衣類商品を示している。
【００２９】
衣類商品５は、胴部５ａと、胴部５ａの上部に肩紐５ｂ、或いは、細幅の肩部を有するもので、本実施形態ではキャミソールを例示している。
台紙本体１は、横幅が衣類商品５の胴部５ａの幅と同等乃至やや小さ目とされ、縦長さが衣類商品５の上下丈の略半分程度とされた縦長の長方形をなし、上部両側に肩紐装着用切り込み凹部１ａを有し、該凹部１ａに肩紐つき衣類商品５の肩紐５ｂが装着されて該肩紐つき衣類商品５が吊り下げ状態で装着可能とされている。
【００３０】
縦帯片２は、上延長片１５及び横延長片１６を介して台紙本体１の横方向一側に台紙本体１の表面側へ折り返し可能に連設され、台紙本体１の横幅よりも細幅とされている。
上延長片１５は、図８に示すように、台紙本体１の上部に連設されている。この上延長片１５は、台紙本体１と同じ横幅を持ち、かつ、台紙本体１の縦方向長さの約１／３程度の縦方向長さを有しており、しかも、この上延長片１５は、図８に示すように、横方向折り目１７によって、台紙本体１の上部から表面側へ縦方向に折り返し可能に連設されている。この上延長片１５には、台紙本体１の表面側へ折り返して重ね合わせた際、台紙本体１の凹部１ａと合致する凹部１５ａが形成されており、これら両凹部１ａ、１５ａで衣類商品５の肩紐５ｂを装着係止可能としている。また、縦帯片２を係止するための切り目２０が上延長片１５に形成されている。
【００３１】
横延長片１６は、図８に示すように、上延長片１５の横方向一側（図は右側）に、縦方向折り目１８を介して台紙本体２の表面側へ折り返し可能に連設されている。
この横延長片１６は、上延長片１５と同じ縦方向長さで横方向一側に連設されており、この横延長片１６の下部には、横方向折り目１９を介して縦帯片２が縦方向へ折り返し可能に連設されている。なお、横延長片１６の横幅は、縦帯片２と同一とされている。また横延長片１６には、台紙本体１側へ折り返した際、上延長片１５の凹部１５ａに合致する凹部１６ａが形成されている。
【００３２】
上記上延長片１５と横延長片１６とによって、縦帯片２は、台紙本体１の横方向一側に配置した状態で原紙から裁断構成されているにも拘わらず、図９〜図１１に示すように、台紙本体１の右側上部で縦方向に折り返して台紙本体１に装着された肩紐つき衣類商品５を台紙本体１に上から押さえ付けて挟持させることができる。この状態で、縦帯片２の横方向への戻りは、上延長片１５に形成した切り目２０に縦帯片２の上部側縁を図６に示す
ように差し込み係止させることによって防止される。
【００３３】
上記縦帯片２は、本実施形態でも、台紙本体１に対して横幅方向の一方（図１では右側）に片寄った位置から斜め下に向けて傾斜させた状態で配置した場合を例示している。縦帯片２の配置は、これに限らず、台紙本体１の横幅方向の中央部や右寄り又は左寄りなどの任意の位置から真っ直ぐ下に垂下させた状態で配置してもよい。
横帯片３は、縦帯片２の下部両側に左右一対として一連に延設され、それらの延設端部を台紙本体１の裏面側で相互に係止可能とされている。本実施形態においては、図７、図８に示すように、横帯片３の両端付近に帯幅の略半分程度の長さの上下方向の切り込み部３ａ、３ａを上下方向に対向状に設けて相互に差し込み係止させるようにした場合を例示しているが、これに限定されず、他の係止手段を採用してもよいもので、例えば、粘着テープで止めるようにしてもよい。
【００３４】
前記縦帯片２は、図６に示すように、台紙本体１に装着された肩紐つき衣類商品５を上から台紙本体１に向けて押さえ込み、前記横帯片３は、図６、図７に示すように、衣類商品５を台紙本体１の下部で台紙本体１に抱持させるように構成されている。
この横帯片３は、衣類商品５を裾部展開状態（図１１の鎖線参照）及び裾部折り返し状態（図７の鎖線参照）のいずれの状態においても縦帯片２とともに台紙本体１の表面側から裏面側に亘って衣類商品５を包囲して保持することが可能に構成されている。横帯片３の帯幅は、衣類商品５を台紙本体１に軽く抱持させておくことができる程度の強度があればよく、例えば、２〜３ｃｍ程度の細幅とされている。
【００３５】
台紙本体１の上部で横方向中央には、図６〜図１１に示すように、吊り下げ用フック８の装着孔９が形成されている。なお、この装着孔９の代わりに、台紙本体１の上部に、吊り下げ用フック８を切り起こし可能に形成してもよい。
台紙本体１、縦帯片２、横帯片３及び上延長片１５、横延長片１６は、板紙製又は樹脂製シートを原紙として、図８に示す形状に一連に裁断して形成される。そして、台紙本体１と上延長片１５、上延長片１５と横延長片１６、横延長片１６と縦帯片２との連結部には、予め、折り目１７、１８、１９が形成されている。また、横帯片３にも台紙本体１の裏側へ折り返すための折り目１２、１３が形成されている。なお、左右の横帯片３の長さは、縦帯片２が台紙本体１に対して図８の右側に片寄せてあるため、図８の左側の横帯片３よりも右側の横帯片３の方が長く形成されている。
【００３６】
そして、これら縦帯片２及び／又は横帯片３には、当該商品を店頭販売する場合に顧客に対して、視覚を通じてアピールするための情報が表面側に印刷表示される。この情報は、例えば、有名人、著名人、俳優、ファッションモデルや当該商品のデザイナー等の人物に当該商品の着用状態を表した写真や当該商品のファッション性、デザイン上の特長、機能、効能、キャッチフレーズ等、視覚を通じて顧客にアピールするための各種の情報が含まれるものであって、それらの表示方法は、写真、イラスト図、デザイン図、キャッチフレーズ等の文字、模様、記号等の単独又は適宜の組み合わせで印刷表示されるものである。なお、上延長片１５の表面側の一部又は適宜部分、例えば、衣類商品５の開口部から露出して外部から見える部分等には、当該商品とは異色の背景色彩や縦帯片２の上記情報と連続するか、又は、関連する情報を印刷表示したり、ラベルやシール等を貼付してもよい。
【００３７】
本発明の第２実施形態は、以上の構成からなり、次に、その包装作業要領を図面に基づいて説明する。
先ず、図８の状態から図９に示すように、上延長片１５と横延長片１６とをそれぞれの横方向折り目１７、１９の位置で矢印Ａのように台紙本体１の表面側へ折り返す。次に、図９の状態から図１０に示すように、縦帯片２と横延長片１６とを縦方向折り目１８の位置で矢印Ｂのように台紙本体１の表面側へ折り返す。続いて、図１０の状態から図１１に示すように、縦帯片２を横方向折り目１９の位置で矢印Ｃのように上方向へ折り返す。この状態で肩紐付き衣類商品５の肩紐５ｂを台紙本体１の上部両側の凹部１ａ、及びこの凹部１ａに重なる凹部１５ａ、１６ａに装着係止して衣類商品５を台紙本体１に装着する。そして、縦帯片２を台紙本体１上に折り重ね、上部側縁を上延長片１５の切り目２０に差
し込み係止させ、最後に、横帯片３を図６、図７に示すように台紙本体１の裏側へ折り返して、端部の切り込み部３ａを差し込み係止させる。これによって、第２実施形態のパッケージにおける衣類商品５の台紙本体１への装着作業は終了する。なお、このパッケージを吊り下げ展示する場合には、台紙本体１に対して衣類商品５の裾部を下方に伸ばした状態で装着しておくものである。また、包装袋に収納する場合や、陳列台等に立て掛けて展示する場合では、台紙本体１に対して衣類商品５の裾部を台紙本体１の裏面側に折り畳んだ状態で縦帯片２及び横帯片３で抱持させておくものである。
【００３８】
図１２及び図１３は、本発明の第３実施形態を示すものであって、前記した第２実施形態におけるパッケージの肩紐装着用切り込み凹部１ａ、１５ａ、１６ａを側縁から斜め下へスリット状に切り込んだ切り目として構成したものである。なお、第３実施形態の他の構成及び包装態様等は、第２実施形態と同一であり、最終的な包装形態の正面図及び背面図は、前記凹部が切り目となる点を除けば第２実施形態における図６及び図７と同様であり、また、包装作業途中のパッケージの形態も第２実施形態における図９〜図１１と同様であるため、詳細な説明及び図示は省略している。
【００３９】
本発明の第１、第２及び第３の実施形態は、以上であるが、本発明は、これらの実施形態にのみ制約されるものではなく、種々変更して実施することができる。例えば、第１実施形態においては、肩紐装着用切り込み凹部１ａを第３実施形態のような切り目で構成してもよく、また、補助片４を省略して実施してもよい。また、第１〜第３実施形態において、縦帯片２や横帯片３に窓孔を形成して、その窓孔から衣類商品５が見えるようにしてもよい。
【図面の簡単な説明】
【００４０】
【図１】本発明の第１実施形態を示す正面図である。
【図２】図１のパッケージの背面図である。
【図３】図１のパッケージの展開裏面図である。
【図４】図１のパッケージの衣類商品装着時の状態を示す斜視図である。
【図５】図１のパッケージの縦帯片の折り返し途中の状態を示す斜視図である。
【図６】本発明の第２実施形態を示す正面図である。
【図７】図６のパッケージの背面図である。
【図８】図６のパッケージの展開裏面図である。
【図９】図６のパッケージの第１折り曲げ状態の概略斜視図である。
【図１０】図６のパッケージの第２折り曲げ状態の概略斜視図である。
【図１１】図６のパッケージの第３折り曲げ状態の概略斜視図である。
【図１２】本発明の第３実施形態のパッケージの展開裏面図である。
【図１３】図１２のパッケージの第３折り曲げ状態の概略斜視図である。
【符号の説明】
【００４１】
１    台紙本体
１ａ    凹部
２    縦帯片
３    横帯片
３ａ    切り込み部
４    補助片
５    衣類商品
５ａ    胴部
５ｂ    肩紐
６    縦方向切り目
７    横方向切り目
８    吊り下げ用フック
９    装着孔
１５    上延長片
１６    横延長片
【図１】
0005137531.tif 000002
【図２】
0005137531.tif 000003
【図３】
0005137531.tif 000004
【図４】
0005137531.tif 000005
【図５】
0005137531.tif 000006
【図６】
0005137531.tif 000007
【図７】
0005137531.tif 000008
【図８】
0005137531.tif 000009
【図９】
0005137531.tif 000010
【図１０】
0005137531.tif 000011
【図１１】
0005137531.tif 000012
【図１２】
0005137531.tif 000013
【図１３】
0005137531.tif 000014